(57)【要約】【課題】より確実な防水特性を有する屋根断熱構造及び屋根断熱構造用の断熱部材を提供する。【解決手段】複数の断熱部材の各々が、上面の棟側の端部近傍に左右方向に伸長して設けられ、この断熱部材の棟側に嵌合される他の断熱部材上を流れる排水を受ける集水部と、左右方向の一方の側端部において前後方向に伸長しており、集水部からの排水を受けるようにこの集水部に連通している側端排水溝とを備えている。複数の断熱部材の各々の側端排水溝が、この断熱部材の軒側に嵌合される他の断熱部材の側端排水溝内に排水するようにこの他の断熱部材の側端排水溝に係合している。【選択図】  図２
2015175123.tif 000002
【特許請求の範囲】
【請求項１】
屋根下地面上に互いに嵌合して敷設された複数の断熱部材と、該敷設された複数の断熱部材上に葺設された屋根材とを備えた屋根断熱構造であって、
前記複数の断熱部材の各々が、上面の棟側の端部近傍に左右方向に伸長して設けられ、当該断熱部材の棟側に嵌合される他の断熱部材上を流れる排水を受ける集水部と、左右方向の一方の側端部において前後方向に伸長しており、前記集水部からの排水を受けるように該集水部に連通している側端排水溝とを備えており、前記複数の断熱部材の各々の前記側端排水溝が、当該断熱部材の軒側に嵌合される他の断熱部材の側端排水溝内に排水するように該他の断熱部材の側端排水溝に係合していることを特徴とする屋根断熱構造。
【請求項２】
前記集水部が、軒側の頂点に向かって窄んでいる平面形状をそれぞれが有しかつ互いに連通している複数の集水領域を備えており、前記各断熱部材の上面には、前記複数の集水領域からの排水を受けるように該複数の集水領域の頂点にそれぞれ連通する複数の内側排水溝が設けられていることを特徴とする請求項１に記載の屋根断熱構造。
【請求項３】
前記複数の集水領域の底面と前記複数の内側排水溝の底面とが無段差状態で連続しており、前記複数の内側排水溝の底面と前記各断熱部材の上面とが無段差状態で連続していることを特徴とする請求項２に記載の屋根断熱構造。
【請求項４】
前記複数の断熱部材の各々が、上面の前記集水部より棟側に設けられ左右方向に伸長する凸条及び凹条と、下面の軒側端部に設けられ、当該断熱部材の軒側に敷設される他の断熱部材の前記凸条及び凹条にそれぞれ嵌合可能な、左右方向に伸長する凹条及び凸条とをさらに備えていることを特徴とする請求項１から３のいずれか１項に記載の屋根断熱構造。
【請求項５】
前記複数の断熱部材の各々が、左右方向の一方の側端部であって前記側端排水溝より外側の上面に設けられ、前後方向に伸長する凸条及び凹条と、左右方向の他方の側端部の下面に設けられ、当該断熱部材の前記他方の側に敷設される他の断熱部材の前記凸条及び凹条にそれぞれ嵌合可能な、前後方向に伸長する凹条及び凸条とをさらに備えていることを特徴とする請求項１から４のいずれか１項に記載の屋根断熱構造。
【請求項６】
屋根下地面上に互いに嵌合して複数敷設され、その上に屋根材が敷設される、屋根断熱構造用の断熱部材であって、
前記断熱部材が、上面の棟側の端部近傍に左右方向に伸長して設けられ、当該断熱部材の棟側に嵌合される他の断熱部材上を流れる排水を受ける集水部と、左右方向の一方の側端部において前後方向に伸長しており、前記集水部からの排水を受けるように該集水部に連通している側端排水溝とを備えており、前記断熱部材の前記側端排水溝が、当該断熱部材の軒側に嵌合される他の断熱部材の側端排水溝内に排水するように該他の断熱部材の側端排水溝に係合していることを特徴とする、屋根断熱構造用の断熱部材。
【請求項７】
前記集水部が、軒側の頂点に向かって窄んでいる平面形状をそれぞれが有しかつ互いに連通している複数の集水領域を備えており、前記断熱部材の上面には、前記複数の集水領域からの排水を受けるように該複数の集水領域の頂点にそれぞれ連通する複数の内側排水溝が設けられていることを特徴とする請求項６に記載の、屋根断熱構造用の断熱部材。
【請求項８】
前記複数の集水領域の底面と前記複数の内側排水溝の底面とが無段差状態で連続しており、前記複数の内側排水溝の底面と前記各断熱部材の上面とが無段差状態で連続していることを特徴とする請求項７に記載の、屋根断熱構造用の断熱部材。
【請求項９】
上面の前記集水部より棟側に設けられ左右方向に伸長する凸条及び凹条と、下面の軒側端部に設けられ、当該断熱部材の軒側に敷設される他の断熱部材の前記凸条及び凹条にそれぞれ嵌合可能な、左右方向に伸長する凹条及び凸条とをさらに備えていることを特徴とする請求項６から８のいずれか１項に記載の、屋根断熱構造用の断熱部材。
【請求項１０】
左右方向の一方の側端部であって前記側端排水溝より外側の上面に設けられ、前後方向に伸長する凸条及び凹条と、左右方向の他方の側端部の下面に設けられ、当該断熱部材の前記他方の側に敷設される他の断熱部材の前記凸条及び凹条にそれぞれ嵌合可能な、前後方向に伸長する凹条及び凸条とをさらに備えていることを特徴とする請求項６から９のいずれか１項に記載の、屋根断熱構造用の断熱部材。
【発明の詳細な説明】
【技術分野】
【０００１】
本発明は、屋根下地材上に断熱部材を設置して構成される屋根断熱構造及びこの屋根断熱構造用の断熱部材に関する。
【背景技術】
【０００２】
木造家屋等の屋根の断熱構造として、野地板上に複数の断熱部材を載せ、その上に屋根瓦等の屋根材を設置した屋根断熱構造が知られている。例えば、特許文献１には、野地板及びその上の防水シートから構成される屋根下地材上に、軒棟方向と直交する方向に伸長する複数の横桟を設け、これら横桟間に断熱部材を設けて固定した屋根断熱構造が記載されている。このように横桟を設けることにより、平坦な野地板上で、断熱部材の位置決め及び固定を行うことができる。この特許文献１に記載の屋根断熱構造においては、これら横桟及び断熱部材の下面に、軒棟方向に延設され互いに連通する複数の排水用溝が形成されている。
【先行技術文献】
【特許文献】
【０００３】
【特許文献１】特開２００５−３３６７５４号公報
【発明の概要】
【発明が解決しようとする課題】
【０００４】
この特許文献１に記載の屋根断熱構造によると、屋根下地材と横桟及び断熱部材とによって形成された排水用溝が排水経路となるため、断熱部材の下の防水シートの表面まで雨水が流れ込むこととなる。即ち、この屋根断熱構造では、屋根瓦より下方においては、防水シートのみが防水の役割を果たすこととなり、この防水シートに何らかの防水上の欠陥があると、雨水はその下の野地板やさらにその下の構造体にまで浸透してしまう可能性がある。
【０００５】
従って、本発明の目的は、より確実なかつ信頼性の高い防水特性を有する屋根断熱構造及び屋根断熱構造用の断熱部材を提供することにある。
【０００６】
本発明の他の目的は、断熱部材の固定を確実に行える屋根断熱構造及び屋根断熱構造用の断熱部材を提供することにある。
【課題を解決するための手段】
【０００７】
本発明は、屋根下地面上に互いに嵌合して敷設された複数の断熱部材と、敷設された複数の断熱部材上に葺設された屋根材とを備えた屋根断熱構造に関する。特に本発明によれば、複数の断熱部材の各々が、上面の棟側の端部近傍に左右方向に伸長して設けられ、この断熱部材の棟側に嵌合される他の断熱部材上を流れる排水を受ける集水部と、左右方向の一方の側端部において前後方向に伸長しており、集水部からの排水を受けるようにこの集水部に連通している側端排水溝とを備えている。複数の断熱部材の各々の側端排水溝が、この断熱部材の軒側に嵌合される他の断熱部材の側端排水溝内に排水するようにこの他の断熱部材の側端排水溝に係合している。
【０００８】
集水部は、この断熱部材の棟側に嵌合される他の断熱部材を流れる排水を受け、側端排水溝に排水する。この側端排水溝は、この断熱部材の軒側に連結される他の断熱部材の側端排水溝内に排水するようにこの側端排水溝に部分的に重畳されている。例えば雨水等の屋根に印加される水（以下、雨水と称する）は、そのほとんどは、屋根材の表面を伝って排水されるが、屋根材の裏側に雨水が入り込んだ場合にも、その雨水は複数の断熱部材の表面を伝って排水される。万が一、棟側の断熱部材上を流れる雨水がその軒側に連結された断熱部材の嵌合部から浸透した場合にも、浸透した雨水は軒側に連結された断熱部材の集水部で受けられ、側端排水溝に排水され、さらにその軒側に連結された断熱部材の側端排水溝内に排水され、最終的に、断熱部材の裏側に入り込むことなく、外部に排水される。従って、本発明によれば、より確実なかつ信頼性の高い防水特性を得ることができる。
【０００９】
なお、本明細書においては、各断熱部材において、屋根に設置した際に軒棟方向となる方向を前後方向、前後方向の軒側の端部を軒側端部、前後方向の棟側の端部を棟側端部、屋根に設置した際に軒棟方向と直交する方向を左右方向とそれぞれ称する。
【００１０】
集水部が、軒側の頂点に向かって窄んでいる平面形状をそれぞれが有しかつ互いに連通している複数の集水領域を備えており、各断熱部材の上面には、複数の集水領域からの排水を受けるように複数の集水領域の頂点にそれぞれ連通する複数の内側排水溝が設けられていることが好ましい。各集水領域が例えば略逆三角形状等の軒側の頂点に向かって窄んでいる平面形状であり、その頂点が内側排水溝に連通しているため、集水部に集められた雨水はここに留まることなく直ちに内側排水溝を介して排水される。
【００１１】
この場合、複数の集水領域の底面と複数の内側排水溝の底面とが無段差状態で連続しており、複数の内側排水溝の底面と各断熱部材の上面とが無段差状態で連続していることがより好ましい。段差の存在しない無段差状態で集水領域と内側排水溝とが連続しており、さらに、段差の存在しない無段差状態で内側排水溝と断熱部材の上面とが連続しているため、排水が境界部で滞ることなく、スムーズに行われる。
【００１２】
複数の断熱部材の各々が、上面の、集水部より棟側に設けられ左右方向に伸長する凸条及び凹条と、下面の軒側端部に設けられ、この断熱部材の軒側に敷設される他の断熱部材の凸条及び凹条にそれぞれ嵌合可能な、左右方向に伸長する凹条及び凸条とをさらに備えていることも好ましい。左右方向に伸長する凸条及び凹条と凹条及び凸条とが嵌合するため、前後方向の断熱部材が互いに確実に嵌合され、その結果、複数の断熱部材の固定を確実に行うことができる。
【００１３】
複数の断熱部材の各々が、左右方向の一方の側端部であって側端排水溝より外側の上面に設けられ、前後方向に伸長する凸条及び凹条と、左右方向の他方の側端部の下面に設けられ、この断熱部材の他方の側に敷設される他の断熱部材の凸条及び凹条にそれぞれ嵌合可能な、前後方向に伸長する凹条及び凸条とをさらに備えていることも好ましい。前後方向に伸長する凸条及び凹条と凹条及び凸条とが嵌合するため、左右方向の断熱部材が互いに確実に嵌合され、その結果、複数の断熱部材の固定を確実に行うことができる。
【００１４】
本発明は、さらに、屋根下地面上に互いに嵌合して複数敷設され、その上に屋根材が敷設される、屋根断熱構造用の断熱部材に関する。特に本発明によれば、断熱部材が、上面の棟側の端部近傍に左右方向に伸長して設けられ、この断熱部材の棟側に嵌合される他の断熱部材上を流れる排水を受ける集水部と、左右方向の一方の側端部において前後方向に伸長しており、集水部からの排水を受けるようにこの集水部に連通している側端排水溝とを備えている。断熱部材の側端排水溝が、この断熱部材の軒側に嵌合される他の断熱部材の側端排水溝内に排水するようにこの他の断熱部材の側端排水溝に係合している。
【００１５】
集水部は、この断熱部材の棟側に嵌合される他の断熱部材を流れる排水を受け、側端排水溝に排水する。この側端排水溝は、この断熱部材の軒側に連結される他の断熱部材の側端排水溝内に排水するようにこの側端排水溝に部分的に重畳されている。雨水は、そのほとんどは、屋根材の表面を伝って排水されるが、屋根材の裏側に雨水が入り込んだ場合にも、その雨水は複数の断熱部材の表面を伝って排水される。万が一、棟側の断熱部材上を流れる雨水がその軒側に連結された断熱部材の嵌合部から浸透した場合にも、浸透した雨水は軒側に連結された断熱部材の集水部で受けられ、側端排水溝に排水され、さらにその軒側に連結された断熱部材の側端排水溝内に排水され、最終的に、断熱部材の裏側に入り込むことなく、外部に排水される。従って、本発明によれば、より確実なかつ信頼性の高い防水特性を得ることができる。
【００１６】
集水部が、軒側の頂点に向かって窄んでいる平面形状をそれぞれが有しかつ互いに連通している複数の集水領域を備えており、断熱部材の上面には、複数の集水領域からの排水を受けるように複数の集水領域の頂点にそれぞれ連通する複数の内側排水溝が設けられていることが好ましい。各集水領域が例えば略逆三角形状等の軒側の頂点に向かって窄んでいる平面形状であり、その頂点が内側排水溝に連通しているため、集水部に集められた雨水はここに留まることなく直ちに内側排水溝を介して排水される。
【００１７】
この場合、複数の集水領域の底面と複数の内側排水溝の底面とが無段差状態で連続しており、複数の内側排水溝の底面と各断熱部材の上面とが無段差状態で連続していることがより好ましい。段差の存在しない無段差状態で集水領域と内側排水溝とが連続しており、さらに、段差の存在しない無段差状態で内側排水溝と断熱部材の上面とが連続しているため、排水が境界部で滞ることなく、スムーズに行われる。
【００１８】
上面の、集水部より棟側に設けられ左右方向に伸長する凸条及び凹条と、下面の軒側端部に設けられ、この断熱部材の軒側に敷設される他の断熱部材の凸条及び凹条にそれぞれ嵌合可能な、左右方向に伸長する凹条及び凸条とをさらに備えていることも好ましい。左右方向に伸長する凸条及び凹条と凹条及び凸条とが嵌合するため、前後方向の断熱部材が互いに確実に嵌合され、その結果、複数の断熱部材の固定を確実に行うことができる。
【００１９】
左右方向の一方の側端部であって側端排水溝より外側の上面に設けられ、前後方向に伸長する凸条及び凹条と、左右方向の他方の側端部の下面に設けられ、この断熱部材の他方の側に敷設される他の断熱部材の凸条及び凹条にそれぞれ嵌合可能な、前後方向に伸長する凹条及び凸条とをさらに備えていることも好ましい。前後方向に伸長する凸条及び凹条と凹条及び凸条とが嵌合するため、左右方向の断熱部材が互いに確実に嵌合され、その結果、複数の断熱部材の固定を確実に行うことができる。
【発明の効果】
【００２０】
雨水は、そのほとんどは、屋根材の表面を伝って排水されるが、屋根材の裏側に雨水が入り込んだ場合にも、その雨水は複数の断熱部材の表面を伝って排水される。万が一、棟側の断熱部材上を流れる雨水がその軒側に嵌合された断熱部材の嵌合部から浸透した場合にも、浸透した雨水は軒側に嵌合された断熱部材の集水部で受けられ、側端排水溝に排水され、さらにその軒側に嵌合された断熱部材の側端排水溝に排水され、最終的に、断熱部材の裏側に入り込むことなく、外部に排水される。従って、本発明の断熱部材によれば、より確実なかつ信頼性の高い防水特性を有する断熱屋根構造を提供することができる。
【図面の簡単な説明】
【００２１】
【図１】本発明の一実施形態に係る屋根断熱構造を一部を省略して概略的に示す斜視図である。
【図２】図１の実施形態における断熱部材の構成を概略的に示す平面図である。
【図３】図２のＡ−Ａ線断面図である。
【図４】図１の実施形態における断熱部材の構成を概略的に示す背面図である。
【図５】図１の実施形態における断熱部材の構成を概略的に示す斜視図である。
【図６】図１の実施形態において２つの断熱部材を前後方向に連結させた場合の全体構成を概略的に示す平面図である。
【図７】図１の実施形態において２つの断熱部材を前後方向に連結させた場合の一方の側面の構成を概略的に示す側面図である。
【図８】図１の実施形態において２つの断熱部材を前後方向に連結させた場合の他方の側面の構成を概略的に示す側面図である。
【図９】図１の実施形態において２つの断熱部材を左右方向に連結させた場合の全体構成を概略的に示す側面図である。
【図１０】図９のＢ−Ｂ線断面図である。
【発明を実施するための形態】
【００２２】
図１は本発明の一実施形態に係る屋根断熱構造について一部を省略して概略的に示している。この実施形態は、木造建物における断熱屋根構造の一例である。
【００２３】
同図において、１０は屋根の左右方向（軒棟方向と直交する方向）に伸長してそれぞれ設けられた複数の母屋、１１は屋根の前後方向（軒棟方向）に伸長し、複数の母屋１０に架け渡してそれぞれ設けられた複数の垂木、１２は複数の垂木１１上に敷設された野地板、１３は野地板１２上に敷設された例えばアスファルト、ゴムアスファルト等の防水シートからなるルーフィングである。
【００２４】
ルーフィング１３上には、複数の断熱部材１４が互いに嵌合して敷設されており、これら敷設された複数の断熱部材１４上には、例えば、金属屋根材、瓦屋根材、又はカラーベスト等のスレート屋根材等の屋根材１５が葺設されている。
【００２５】
図２、図３、図４及び図５は本実施形態における断熱部材１４の構成を概略的に示している。ただし、図２は断熱部材１４の上面を、図３は図２のＡ−Ａ線断面を、図４は断熱部材１４の下面を、図５は断熱部材１４の上面及び側面をそれぞれ表しており、断熱部材１４は、屋根に敷設した際に矢印Ｒ方向が棟側（高い側）となり、矢印Ｅ方向が軒側（低い側）となる。
【００２６】
断熱部材の材料
これらの図から分かるように、断熱部材１４は断熱材料を成形して得られる略矩形形状の板材である。断熱材料として、断熱性、耐熱性及び耐水性に優れた、独立気泡を有する合成樹脂材料の発泡体、例えば、ポリエチレン系発泡体、ポリスチレン系発泡体、ポリウレタン系発泡体、ウレタン系発泡体、ポリプロピレン系発泡体、若しくはフェノール系発泡体等、又は塩化ビニル樹脂を主成分とする発泡体が用いられる。合成樹脂材料に各種の難燃材や耐熱材を混在させて耐熱性及び自己消火性を増大させても良い。本実施形態では、合成樹脂材料として、圧縮強度が高く曲がりにくいと共に断熱性が高く、さらに耐熱自己消火性に優れた（８０〜９０℃の耐熱温度）α−メチルスチレン及びアクリロニトリルの共重合体を用いている。この共重合体は、また、水を通し難いため、優れた耐水性をも有している。
【００２７】
断熱部材の前後方向の連結構造
断熱部材１４の上面の棟側端部には、左右方向に伸長する第１及び第２の凸条１４ａ及び１４ｂと第１及び第２の凹条１４ｃ及び１４ｄとが設けられている。また、下面の軒側端部には、左右方向に伸長する第１及び第２の凹条１４ｅ及び１４ｆと第１及び第２の凸条１４ｇ及び１４ｈとが設けられている。断熱部材１４の上面に形成された第１及び第２の凸条１４ａ及び１４ｂと第１及び第２の凹条１４ｃ及び１４ｄとは、この断熱部材１４の棟側に敷設される他の断熱部材の第１及び第２の凹条１４ｅ及び１４ｆと第１及び第２の凸条１４ｇ及び１４ｈとにそれぞれ嵌合されるように構成されている。
【００２８】
図６は本実施形態における２つの断熱部材１４及び１４′を前後方向に連結させた場合の全体構成を、図７はその場合の一方の側面の構成を、図８はその場合の他方の側部の構成を概略的に示している。これらの図においても、屋根に敷設した際に矢印Ｒ方向が棟側（高い側）となり、矢印Ｅ方向が軒側（低い側）となる。
【００２９】
これらの図からも分かるように、２つの断熱部材１４及び１４′を前後方向に連結する場合、一方の断熱部材１４の上面の第１及び第２の凸条１４ａ及び１４ｂと第１及び第２の凹条１４ｃ及び１４ｄとに棟側の他方の断熱部材１４′の下面の第１及び第２の凹条１４ｅ′及び１４ｆ′と第１及び第２の凸条１４ｇ′及び１４ｈ′とをそれぞれ嵌合させることにより、２つの断熱部材１４及び１４′が前後方向に一体化され、さらに他の断熱部材と同様に連結することにより、ルーフィング１３上の前後方向に複数の断熱部材を一体化及び固定させることができる。このように、左右方向に伸長する２つの凸条及び２つの凹条と２つの凹条及び２つの凸条とが互いに嵌合するため、前後方向の断熱部材が互いに確実に嵌合され、その結果、複数の断熱部材の固定を確実に行うことができる。
【００３０】
なお、図２、図４及び図５から明らかのように、第２の凹条１４ｄの棟側壁である段差１４ｎは複数の略逆三角形が連なる平面形状を有しており、また、断熱部材１４の上面の軒側端も複数の略逆三角形が連なる平面形状を有している。このため、２つの断熱部材１４及び１４′を前後方向に連結した場合、軒側の断熱部材１４の段差１４ｎの複数の略逆三角形部分に棟側の断熱部材１４′の軒側端の複数の略逆三角形部分が密に当接した状態で嵌め込まれ、両断熱部材１４及び１４′が隙間なく連結されることとなる。また、略逆三角形形状が互いに嵌合するため、両断熱部材１４及び１４′相互の左右方向のずれが確実に阻止される。
【００３１】
断熱部材の左右方向の連結構造
図２、図３、図４及び図５に示すように、断熱部材１４の左右方向の一方（図２にて左側）の側端部の上面には、前後方向に伸長する凸条１４ｉ及び凹条１４ｊが設けられている。また、左右方向の他方（図３にて右側）の側端部の下面には、前後方向に伸長する凹条１４ｋ及び凸条１４ｌが設けられている。これら凸条１４ｉ及び凹条１４ｊは、この断熱部材１４の一方（図２にて左側）の側に敷設される他の断熱部材の凹条１４ｋ及び凸条１４ｌにそれぞれ嵌合されるように構成されている。
【００３２】
図９は本実施形態において２つの断熱部材１４及び１４″を左右方向に連結させた場合の全体構成を示しており、図１０は図９のＢ−Ｂ線断面を示している。図９においても、屋根に敷設した際に矢印Ｒ方向が棟側（高い側）となり、矢印Ｅ方向が軒側（低い側）となる。
【００３３】
これらの図からも分かるように、２つの断熱部材１４及び１４″を左右方向に連結する場合、一方の断熱部材１４の一方の側端部上面の凸条１４ｉ及び凹条１４ｊと、他方の断熱部材１４″の他方の側端部下面の凹条１４ｋ″及び凸条１４ｌ″とをそれぞれ嵌合させることにより、２つの断熱部材１４及び１４″が左右方向に一体化され、さらに他の断熱部材と同様に連結することにより、ルーフィング１３上の左右方向に複数の断熱部材を一体化及び固定させることができる。このように、前後方向に伸長する凸条及び凹条と凹条及び凸条とが互いに嵌合するため、左右方向の断熱部材が互いに確実に嵌合され、その結果、複数の断熱部材の固定を確実に行うことができる。
【００３４】
断熱部材の排水構造
図２、図３及び図５に示すように、断熱部材１４の棟側の端部近傍の上面には、この断熱部材１４の棟側に連結される他の断熱部材上を流れる排水を受ける集水部１４ｍが左右方向に伸長して設けられている。この集水部１４ｍは、第１及び第２の凸条１４ａ及び１４ｂ並びに第１の凹条１４ｃより軒側に設けられており、その棟側（図２にて上側）は第２の凸条１４ｂによって、軒側（図２にて下側）はこの断熱部材１４の上面に形成された段差１４ｎによって、その左右方向の他方の側（図２にて右側）は断熱部材１４のこの他方の側端に連結される他の断熱部材によって囲まれている。即ち、この集水部１４ｍは、前述した第２の凹条１４ｄの左右方向の他方（図２にて右側）の端の開口が断熱部材１４の他方の側端に連結される他の断熱部材によって閉じられることによって形成されている。集水部１４ｍ、従って第２の凹条１４ｄの左右方向の一方（図２にて左側）の端は側端排水溝１４ｏに接続して連通している。なお、この集水部１４ｍは、断熱部材を前後方向に連結した場合にも、その上下方向に若干の隙間（例えば、１．５ｍｍ）が生じるように構成されている。
【００３５】
側端排水溝１４ｏは、断熱部材１４の左右方向の一方の側（図２にて左側）の側端部の上面に、前後方向に伸長して設けられている。この側端排水溝１４ｏは、集水部１４ｍからの排水を受けるように構成されており、複数の断熱部材を前後方向に連結した場合に、この断熱部材１４の軒側に嵌合される他の断熱部材の同様の側端排水溝内に排水するようにこの他の断熱部材の側端排水溝にその先端部が部分的に重畳している。
【００３６】
即ち、図６及び図８に示すように、２つの断熱部材１４及び１４′を前後方向に連結する場合、棟側の断熱部材１４′の側端排水溝１４ｏ′は軒側の断熱部材１４の側端排水溝１４ｏにその上方から連通し、側端排水溝１４ｏ′を流れる排水が側端排水溝１４ｏ内に流れ込み、さらに次の軒側の断熱部材の側端排水溝内に排水されるように構成されている。
【００３７】
図２、図３及び図５に示すように、集水部１４ｍは、軒側の段差１４ｎが略逆三角形状の２辺を構成する平面形状をそれぞれが有しかつ互いに連通している複数（図では５つ）の集水領域１４ｍ１〜１４ｍ５を備えている。これら集水領域１４ｍ１〜１４ｍ５の略逆三角形状の頂点には、断熱部材１４の上面に設けられた複数（図では５つ）の内側排水溝１４ｐ１〜１４ｐ５がそれぞれ接続して連通している。これら内側排水溝１４ｐ１〜１４ｐ５は、集水領域１４ｍ１〜１４ｍ５からの排水を受けて断熱部材１４の軒側上面に排水するように構成されている。集水領域１４ｍ１〜１４ｍ５の各々が略逆三角形状の平面形状であり、その頂点が内側排水溝１４ｐ１〜１４ｐ５の各々に連通しているため、集水部１４ｍに集められた雨水はここに留まることなく直ちに内側排水溝１４ｐ１〜１４ｐ５を介して排水される。なお、集水領域１４ｍ１〜１４ｍ５の底面と内側排水溝１４ｐ１〜１４ｐ５の底面とは無段差状態で連続しており、また、内側排水溝１４ｐ１〜１４ｐ５の底面と断熱部材１４の上面とも無段差状態で連続している。これによって、内側排水溝１４ｐ１〜１４ｐ５を通る雨水は、これら境界部に滞ることなくスムーズに排水される。
【００３８】
なお、本実施形態においては、集水領域１４ｍ１〜１４ｍ５の各々の平面形状が略逆三角形状であるが、この形状は、軒側の頂点に向かって窄んでおり、集められた雨水が頂点に向かって流れる形状であれば、略逆三角形状以外の任意の形状であっても良いことは明らかである。
【００３９】
屋根に印加される雨水は、そのほとんどは、屋根材１５（図１参照）の表面を伝って排水されるが、屋根材１５の裏側に雨水が入り込んだ場合にも、断熱部材が耐水性に優れた発泡材料で構成されているため、その雨水は複数の断熱部材の表面を伝って排水される。万が一、棟側の断熱部材１４′（図６参照）上を流れる雨水がその軒側に嵌合された断熱部材１４との嵌合部の隙間から浸透した場合にも、浸透した雨水は軒側に嵌合された断熱部材１４の集水部１４ｍで受けられ、側端排水溝１４ｏに排水され、さらにその軒側に嵌合された断熱部材の側端排水溝に排水され、最終的に、断熱部材１４の裏側に入り込むことなく、外部に排水される。さらに、集水部１４ｍで受けられた雨水は、集水領域１４ｍ１〜１４ｍ５の頂点から内側排水溝１４ｐ１〜１４ｐ５にスムーズに流れ込み、その下方の断熱材１４の上面を介して外部に排水される。このため、より確実なかつ信頼性の高い防水特性を有する断熱屋根構造を提供することができる。
【００４０】
以上述べた実施形態は全て本発明を例示的に示すものであって限定的に示すものではなく、本発明は他の種々の変形態様及び変更態様で実施することができる。従って本発明の範囲は特許請求の範囲及びその均等範囲によってのみ規定されるものである。
【符号の説明】
【００４１】
１０  母屋
１１  垂木
１２  野地板
１３  ルーフィング
１４、１４′、１４″  断熱部材
１４ａ、１４ｇ、１４ｇ′  第１の凸条
１４ｂ、１４ｈ、１４ｈ′  第２の凸条
１４ｃ、１４ｅ、１４ｅ′  第１の凹条
１４ｄ、１４ｆ、１４ｆ′  第２の凹条
１４ｉ、１４ｌ、１４ｌ″  凸条
１４ｊ、１４ｋ、１４ｋ″  凹条
１４ｍ  集水部
１４ｍ１〜１４ｍ５  集水領域
１４ｎ  段差
１４ｏ、１４ｏ′  側端排水溝
１４ｐ１〜１４ｐ５  内側排水溝
１５  屋根材
【図１】
2015175123.tif 000003
【図２】
2015175123.tif 000004
【図３】
2015175123.tif 000005
【図４】
2015175123.tif 000006
【図５】
2015175123.tif 000007
【図６】
2015175123.tif 000008
【図７】
2015175123.tif 000009
【図８】
2015175123.tif 000010
【図９】
2015175123.tif 000011
【図１０】
2015175123.tif 000012